(57)【要約】【課題】  カートン製函工程における特殊な操作を必要とせず、被せ蓋の両側端部の浮き上がりを防いで切断刃部分の移動による切断操作の不具合を解消し、消費者が使いやすいラップフィルム収納カートンを提供する。【解決手段】  前壁と底壁と後壁と、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付けてなるラップフィルム収納カートンであって、前記側壁の上端近傍に該側壁上辺と略平行する切線を設け、該切線と上端とで形成する領域に凸面加工を施して係止突起を設け、前記蓋部側板の内面で該蓋部側板上辺と貼合される蓋部貼合片の上端との間に、前記係止突起が係合される段差部を形成したことを特徴とするラップフィルム収納カートン。【選択図】        図２
2005035620.tif 000002
【特許請求の範囲】
【請求項１】
前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付けてなるラップフィルム収納カートンであって、前記側壁の上端中央近傍に該側壁上辺と略平行または上辺に向かって中央部が膨らんだ切線を設け、該切線と上端とで形成する領域に凸面加工を施して係止突起を設けるとともに、前記蓋部側板の内面には該蓋部側板上辺と貼合される蓋部貼合片の上端との間に、閉蓋時に前記係止突起が係合される段差部を形成したことを特徴とするラップフィルム収納カートン。
【発明の詳細な説明】
【技術分野】
【０００１】
本発明は、家庭内あるいは業務用で食品包装や保存などに用いられるラップフィルムを収納するカートンに関するものである。
【背景技術】
【０００２】
食品等の保存あるいは調理のため包むのに用いられるウェブであるラップフィルムやアルミ箔は、通常、紙製丸筒にロール状に巻かれ、これを紙製カートン内に収納しており、カートンからウェブを所望する長さ引き出した後、カートンに取り付けられている鋸刃部材により切断して使用するものである。特にラップフィルムを収納するカートンにおいて、従来形式のカートンは、横長の開口部を有するカートン上部に開閉自在なヒンジ付き被せ蓋部を連設するとともに、該ヒンジ付き被せ蓋部の先端に切断刃部分を形成した形式のカートンで、ラップフィルムを所定長さ引き出した後、ヒンジ付き被せ蓋部を閉鎖するとともに被せ蓋部前板を押さえ、カートン本体を押し下げ或いはラップフィルムを引き上げて切断操作を行う形式である。この為、切断刃部分は引き上げられる方向に力が働き、被せ蓋の両側端部が浮き上がって、スムーズな切断操作が行い難いという欠点があった。被せ蓋の浮き上がりを防止するため、被せ蓋の側面部内側に設けられた段差部とカートン本体側面部から突出して折り返された開き止め片とで係止する技術が提案されている（例えば特許文献１参照。）。しかしながら、カートン本体側面部から小さな開き止め片を突出させるため、製函工程における折返しおよびカートン側面部閉鎖に特殊な操作を要し、また使用時において折り返しが戻ってしまい、係止できなくなるという欠点があった。
【特許文献１】特開昭２００１−３２８６２３号公報
【発明の開示】
【発明が解決しようとする課題】
【０００３】
カートン製函工程における特殊な操作を必要とせず、被せ蓋の両側端部の浮き上がりを防いで切断刃部分の移動による切断操作の不具合を解消し、消費者が使いやすいラップフィルム収納カートンを提供する。
【課題を解決するための手段】
【０００４】
上記課題を解決するため、請求項１の発明は、前壁と底壁と後壁とが順設され、両側部を側壁で固定してなる長形の箱体の後壁上端から蓋部天板に続いて蓋部前板が延設され、該蓋部天板の両側端に蓋部側板が垂下連設され、該蓋部側板がそれぞれ前記蓋部前板に接合され、前記蓋部前板の縁片に切断刃を取り付けてなるラップフィルム収納カートンであって、前記側壁の上端中央近傍に該側壁上辺と略平行または上辺に向かって中央部が膨らんだ切線を設け、該切線と上端とで形成する領域に凸面加工を施して係止突起を設けるとともに、前記蓋部側板の内面には該蓋部側板上辺と貼合される蓋部貼合片の上端との間に、閉蓋時に前記係止突起が係合される段差部を形成したことを特徴とするラップフィルム収納カートンとすることで、蓋部の確実な係合閉止が行え、蓋部両側端部の浮き上がりを防いで切断刃部分の移動による切断操作の不具合を解消する。
【発明の効果】
【０００５】
以上のように本発明に係るラップフィルム収納用カートンは、側壁上端に設けた係止突起と、蓋部側壁上辺と蓋部貼合片の上辺間に形成される段差部とによって、蓋部の確実な係合閉止が行え、蓋部両側端部の浮き上がりを防ぐとともに、切断刃部分の移動による切断操作の不具合を解消して、ラップフィルムのスムーズな切断を可能とする。しかも前述した加工は全て従来の加工工程内で行うことができ、材料の増加や特殊な操作を必要としないばかりでなく、予め製品カートンに加工された構造で達成できるので、消費者の使用時における操作を必要としない点でも優れた効果を有するものである。
【発明を実施するための最良の形態】
【０００６】
上記本発明について、図面等を用いて以下に詳述する。
図１は本発明に係るラップフィルム収納カートンの一実施例の展開図。図２は同じく一実施例の組立と使用状態を示す斜視図。図３は同じく一実施例の蓋部係合状態の説明図である。
【０００７】
図１は本発明に係るラップフィルム収納カートンの一実施例の切断刃を取り付けたブランク裏面の展開図で、板紙等を打ち抜き加工されるラップフィルム収納カートン１は、折線を介して前壁２、底壁３、後壁４および蓋部天板５が順設され、前壁２の側縁側には折線を介して折り返し板８が、また蓋部天板５の側縁側には折線を介して蓋部前板６、さらに図に現れないが破断線を介して開封片７が連設されている。前記蓋部前板６の前記開封片７側の端縁には図示するように切断刃Ｋが取り付けられており、カートンの組み立て形成後、使用時に前記開封片７を破断線によって開封し取り去って、前記蓋部前板６の端縁から切断刃Ｋの刃先が出る位置に取り付けられる。
【０００８】
前壁２、底壁３、後壁４、蓋部天板５および蓋部前板６のそれぞれの両端には、折線を介してそれぞれ補助重合板１０、１０´、側壁９、９´、重合板１１、１１´、蓋部側板１２、１２´、および蓋部貼合片１３、１３´が連設されている。側壁９、９´の長さは前壁２および後壁４の短手幅と略同寸で、本発明に係るラップフィルム収納用カートンでは特に限定されるものではないが、補助重合板１０、１０´および重合板１１、１１´の長さは側壁９、９´の長さより短く、また蓋部前板１２、１２´の長さは側壁９、９´の長さの三分の二程度とされ、さらに蓋部貼合片１３、１３´の長さは蓋部天板５の短手幅よりも短くされている。
【０００９】
前記側壁９、９´のそれぞれの上端中央近傍に該側壁９、９´の上辺と略平行または上辺に向かって中央部が膨らんだ切線を設け、該切線と上端とで形成される領域（斜線で示す）に凸面加工を施して係止突起１５、１５´を設けるとともに、前記蓋部貼合片１３、１３´のそれぞれの上辺は、前記係止突起１５、１５´の幅より僅かに大なる幅の切欠溝で切り欠かれている。尚、前記凸面加工はカートンの打ち抜き工程において同時に加工されるもので、生産効率に支障を生じるものではない。
【００１０】
図２は同じく本発明に係るラップフィルム収納用カートンの一実施例の組立および使用状態を示す斜視図で、底壁３から立ち起こされる前壁２および後壁４と、前記前壁２および後壁４のそれぞれの両端に連設された補助重合板１０、１０´および重合板１１、１１´が折り曲げられ重合し、これに糊着される前記底壁３の両端に連設され立ち起こされる側壁９、９´とからなる長形の箱体が形成され、前記後壁４の上辺に連設される蓋部天板５ならびに蓋部前板６が折り曲げられ、さらに前記蓋部前板６の両端に連設された蓋部貼合片１３、１３´に前記蓋部天板５の両端に連設された蓋部側板１２、１２´がそれぞれ折り曲げられ糊着されて、前記長形の箱体の開口部を覆う被せ蓋が形成されている。尚、前記蓋部前板６の側縁側に破断線を介して連設される開封片７は、開封時の引き剥がし操作により取り去られるので図示を省略する。
【００１１】
前述のように、前記側壁９、９´それぞれの上端近傍に該側壁９、９´の上辺と略平行する切線を設け、該切線と上端とで形成される領域に凸面加工を施して係止突起１５、１５´が設けらているとともに、前記蓋部側板１２、１２´のそれぞれの内面には、該蓋部側板１２、１２´の上辺と、それぞれ貼合される蓋部貼合片１３、１３´の切欠溝で切り欠かれた上辺との間に、前記係止突起１５、１５´が係合される段差部を形成しており、部分を省略したが図３に示すように、被せ蓋の閉鎖によって、前記係止突起１５、１５´の下辺と、蓋部貼合片１３、１３´の上辺とが係合して、蓋部の確実な係合閉止が行え、蓋部両側端部の浮き上がりを防ぐとともに、切断刃部分の移動による切断操作の不具合を解消するものである。
【図面の簡単な説明】
【００１２】
【図１】本発明に係るラップフィルム収納カートンの一実施例の展開図。
【図２】同じく一実施例の組立と使用状態を示す斜視図。
【図３】同じく一実施例の蓋部係合状態の説明図。
【符号の説明】
【００１３】
１                  カートン本体
２                  前壁
３                  底壁
４                  後壁
５                  蓋部天板
６                  蓋部前板
７                  開封片
８                  折り返し板
９、９´            側壁
１０、１０´        補助重合板
１１、１１´        重合板
１２、１２´        蓋部側板
１３、１３´        蓋部貼合片
１５、１５´        係止突起
Ｆ                  ラップフィルム
Ｋ                  切断刃
【図１】
2005035620.tif 000003
【図２】
2005035620.tif 000004
【図３】
2005035620.tif 000005